(57)【要約】【課題】工期が短く、工期中でも使用することができ、産業廃棄物の発生を抑制することのできるキッチンキャビネットのリフォーム方法を提供する。【解決手段】既存の開き扉式キッチンキャビネット１Ａを、引出し式キッチンキャビネット１Ｂにリフォームする方法であり、開き扉式キッチンキャビネット１Ａの開き扉３を、ボックス本体２から取り外す開き扉取外し工程と、ボックス本体２の内部に、左側壁４ｂおよび右側壁４ｃを備え、左側壁４ｂおよび右側壁４ｃの内面側に、引出し収納部５をスライド自在に支持するガイド部材４ａをそれぞれ備える断面略逆Ｕ字形状の枠状インナー部材４を、開口部から挿入して取付けるインナー部材取付け工程と、引出し収納部５を、インナー部材４に嵌め込む引出し収納部取付け工程を備える。【選択図】図３
2014151034.tif 000002
【特許請求の範囲】
【請求項１】
前面に開口部を有するボックス本体と、前記ボックス本体の左右一方側にヒンジで結合され、前記開口部を開閉する開き扉とを備える既存の開き扉式キッチンキャビネットを、一又は二以上の引出し収納部を備える引出し式キッチンキャビネットにリフォームする方法であって、
前記開き扉式キッチンキャビネットの前記開き扉を、前記ボックス本体から取り外す開き扉取外し工程と、
前記ボックス本体の内部に、左側壁および右側壁を備え、前記左側壁および右側壁の内面側に、前記引出し収納部をスライド自在に支持するガイド部材をそれぞれ備えるインナー部材を、前記開口部から挿入して取付けるインナー部材取付け工程と、
前記引出し収納部を、前記インナー部材に嵌め込む引出し収納部取付け工程を備えることを特徴とするキッチンキャビネットのリフォーム方法。
【請求項２】
前記インナー部材は、断面略Ｕ字形状、断面略逆Ｕ字形状、又は断面略ロ字形状の枠状インナー部材であることを特徴とする請求項１に記載のキッチンキャビネットのリフォーム方法。
【請求項３】
前記開口部から挿入して取付けられたインナー部材と前記ボックス本体との間に形成された隙間を覆い隠す隙間塞ぎ工程を備えることを特徴とする請求項１又は２に記載のキッチンキャビネットのリフォーム方法。
【請求項４】
前記隙間塞ぎ工程は、前記隙間にゴム製又は樹脂製のパッキンを被せてなることを特徴とする請求項３に記載のキッチンキャビネットのリフォーム方法。
【請求項５】
前記隙間塞ぎ工程は、前記隙間にコーキング材を充填してなることを特徴とする請求項３に記載のキッチンキャビネットのリフォーム方法。
【請求項６】
前記インナー部材が断面略逆Ｕ字形状である場合に、前記ボックス本体の底板部の上面に別体の板材を固定する板材補強工程を備えることを特徴とする請求項２乃至５のうちいずれか一つに記載のキッチンキャビネットのリフォーム方法。
【請求項７】
前記インナー部材が断面略Ｕ字形状又は断面略ロ字形状である場合に、前記インナー部材の底壁の前面と前記ボックス本体の底板部の前面の両方の全体または略全体を装飾部材で覆う装飾部材被覆工程を備えることを特徴とする請求項２乃至５のうちいずれか一つに記載のキッチンキャビネットのリフォーム方法。
【発明の詳細な説明】
【技術分野】
【０００１】
本発明は、キッチンキャビネットのリフォーム方法に関する。より詳細には、厨房（一般家庭の台所や飲食店の調理場など）で使用される開き扉式のキッチンキャビネットを、引出し式のキッチンキャビネットにリフォームする方法に関するものである。
【背景技術】
【０００２】
近年、食洗機などの厨房機器とキッチンキャビネットとを一体化したシステムキッチンが広く使用されている。こうしたシステムキッチンにおいて、食洗機などの厨房機器は、通常、使用頻度が高いため劣化や故障などを起こし易く、また機械的な寿命があるため、１０〜１５年程度で新品と交換する必要がある。一方、キッチンキャビネットは蝶番やハンドルなどの可動部分があるのみで、構造が簡易であるため劣化や故障が生じ難く、従って、長期間にわたって使用することができる。
【０００３】
こうしたキッチンキャビネットは、時代と共にそのデザインが変化している。すなわち、従前の引戸式が、システムキッチンの出現によって開き扉式となり、さらに、近年では引出し式が主流となっている。この引出し式は、重量の嵩む収納物でも容易に上方から簡単に出し入れすることができるので使い勝手に富むといった大きな利点がある。
【０００４】
そのため、それまでの開き扉式のキッチンキャビネットを、使い勝手に富む引出し式のキッチンキャビネットに交換したいといった要望が多い。従来、こうしたキッチンキャビネットの交換は、その全体を撤去して行う必要があった。また、通常は、人工大理石やステンレス製の調理台やキッチンシンクも同時に交換する必要が生じていた。こうしたキッチンキャビネットの全体と共に調理台やキッチンシンクなどを交換する方法では、キッチンキャビネットおよびその周辺が一新されるので見栄えが良いといった利点がある。
【０００５】
しかし、人工大理石やステンレス製の調理台やキッチンシンクは汚れや傷が付き難く、また、付いてしまった汚れや傷は研磨によって容易に除去することができる。従って、キッチンキャビネットと同様に長期間にわたって使用することが可能であり、未だ使用できる状態で交換してしまうのは無駄である。
【０００６】
また、キッチンキャビネットの全体や調理台およびキッチンシンクなどを交換する作業は容易ではない。すなわち、このキッチンキャビネットを備える家屋（例えば、集合住宅）には、新築工事中とは異なり、荷物運搬用の大型エレベーターやクレーンが備えられていない。従って、居住者用の一般用エレベーターを使用する必要がある。この場合、一般用エレベーターに乗り合わせた居住者に危険が及ぶ場合もある。また、一般用エレベーターの使用ができない場合は、ロープを使用して人力で行う必要がある。しかし、この作業は極めて危険であり、また、高層の集合住宅では行うことができない。
【０００７】
さらに、こうした作業には埃や騒音の発生を伴うため、そこに生活している居住者に多大な迷惑を掛けてしまう。
【０００８】
なお、これまでにキッチンキャビネットの扉を交換する方法は開示されているが（例えば、特許文献１参照）、開き扉式のキッチンキャビネットを引出し式のキッチンキャビネットにリフォームする方法は開示されていない。
【先行技術文献】
【特許文献】
【０００９】
【特許文献１】特開２００２−１４７１２９号公報
【発明の概要】
【発明が解決しようとする課題】
【００１０】
しかしながら、従来のキッチンキャビネットの交換方法には、以下の三つの問題がある。
（１）工期が長く、コストが嵩む
既存のキッチンキャビネットの全体および調理台やキッチンシンクなどの撤去、搬出およびそれらに代わる新しいキッチンキャビネット等の搬入および設置が必要となる。これらの作業には多くの時間が必要となる。
また、これらに加えて搬出や搬入の際に室内のクロスを破損してしまうことが多々あり、そのクロスの張り替えやその関連工事にも多くの時間を要する。さらに、他の居住者が生活しているので、作業中における埃や騒音の発生を抑えるために、作業時間も規制される。結果として、少なくとも数日間の工期が必要であり、それに伴いコストも嵩む。
【００１１】
（２）騒音が大きい
キッチンキャビネットの全体や調理台およびキッチンシンクなどを交換するので、大規模な作業が必要となり、そのため大きな騒音が発生する。
（３）工期中はシステムキッチンを使用できない
キッチンキャビネットや調理台およびキッチンシンクなどを撤去するので、工事が完了する間の数日間は、システムキッチンを使用することができない。
（４）多量の産業廃棄物が発生する
撤去されたキッチンキャビネットなどは、そのまま産業廃棄物となってしまう。また、キッチンキャビネット周辺のパネルや室内のクロス等が破損した場合は、それらも産業廃棄物として処理される。その結果、多量の産業廃棄物が発生する。これは、資源の無駄使いでもある。
【００１２】
なお、特許文献１に記載の従来技術では、キッチンキャビネットの扉のみを交換するため、内部構造はそのままであり、よって、使い勝手は向上しない。
【００１３】
そこで、本発明の目的とするところは、工期が短く、工期中でも使用することができ、産業廃棄物の発生を抑制することのできるキッチンキャビネットのリフォーム方法を提供することにある。
【課題を解決するための手段】
【００１４】
上記の目的を達成するために、本発明の請求項１に記載のキッチンキャビネットのリフォーム方法は、前面に開口部を有するボックス本体（２）と、前記ボックス本体（２）の左右一方側にヒンジ（８）で結合され、前記開口部を開閉する開き扉（３）とを備える既存の開き扉式キッチンキャビネット（１Ａ）を、一又は二以上の引出し収納部（５）を備える引出し式キッチンキャビネット（１Ｂ）にリフォームする方法であって、前記開き扉式キッチンキャビネット（１Ａ）の前記開き扉（３）を、前記ボックス本体（２）から取り外す開き扉取外し工程と、前記ボックス本体（２）の内部に、左側壁（４ｂ）および右側壁（４ｃ）を備え、前記左側壁（４ｂ）および右側壁（４ｃ）の内面側に、前記引出し収納部（５）をスライド自在に支持するガイド部材（４ａ）をそれぞれ備えるインナー部材（４）を、前記開口部から挿入して取付けるインナー部材取付け工程と、前記引出し収納部（５）を、前記インナー部材（４）に嵌め込む引出し収納部取付け工程を備えることを特徴とする。
【００１５】
また、請求項２に記載のキッチンキャビネットのリフォーム方法は、前記インナー部材（４）は、断面略Ｕ字形状、断面略逆Ｕ字形状、又は断面略ロ字形状の枠状インナー部材であることを特徴とする。
【００１６】
また、請求項３に記載のキッチンキャビネットのリフォーム方法は、前記開口部から挿入して取付けられたインナー部材（４）と前記ボックス本体（２）との間に形成された隙間（Ｇ）を覆い隠す隙間塞ぎ工程を備えることを特徴とする。
【００１７】
また、請求項４に記載のキッチンキャビネットのリフォーム方法は、前記隙間塞ぎ工程が、前記隙間（Ｇ）にゴム製又は樹脂製のパッキン（Ｐ）を被せてなることを特徴とする。
【００１８】
また、請求項５に記載のキッチンキャビネットのリフォーム方法は、前記隙間塞ぎ工程が、前記隙間（Ｇ）にコーキング材（Ｃ）を充填してなることを特徴とする。
【００１９】
さらに、請求項６に記載のキッチンキャビネットのリフォーム方法は、前記インナー部材（４）が断面略逆Ｕ字形状である場合に、前記ボックス本体（２）の底板部（２ａ）の上面に別体の板材（６）を固定する板材補強工程を備えることを特徴とする。
【００２０】
またさらに、請求項７に記載のキッチンキャビネットのリフォーム方法は、前記インナー部材（４）が断面略Ｕ字形状又は断面略ロ字形状である場合に、前記インナー部材（４）の底壁（４ｅ）の前面と前記ボックス本体（２）の底板部（２ａ）の前面の両方の全体または略全体を装飾部材（７）で覆う装飾部材被覆工程を備えることを特徴とする。
【００２１】
なお、カッコ内の記号は、図面および後述する発明の実施の形態に記載された対応要素または対応事項を示す。
【発明の効果】
【００２２】
本発明の請求項１に記載のキッチンキャビネットのリフォーム方法によれば、開き扉式キッチンキャビネットの開き扉を、ボックス本体から取り外す開き扉取外し工程と、ボックス本体の内部に、左側壁および右側壁を備え、左側壁および右側壁の内面側に、引出し収納部をスライド自在に支持するガイド部材をそれぞれ備えるインナー部材を、開口部から挿入して取付けるインナー部材取付け工程と、引出し収納部を、インナー部材に嵌め込む引出し収納部取付け工程とを備えるので、以下の効果を発揮する。
【００２３】
（１）工期が短くコストが廉価
開き扉式キッチンキャビネットのボックス本体から開き扉のみを取外し（開き扉取外し工程）、ガイド部材を有するインナー部材をボックス本体に挿入して取付け（インナー部材取付け工程）、引出し収納部をインナー部材に嵌め込む（引出し収納部取付け工程）のみでリフォームすることができるので、工期が短くコストも廉価である。
すなわち、開き扉式キッチンキャビネットのボックス本体や調理台およびキッチンシンクなどは、取り外すことなくそのまま使用するので取外し作業が極めて容易である。また、搬出するのは開き扉のみで、搬入するのはインナー部材と引出し収納部（および付属する金具類）のみであるため、搬出および搬入作業が容易である。また、室内のクロスを傷つけることもないので張り替え作業が不要である。その結果、リフォームを短期間（半日程度）で終えることができ、それに要するコストも廉価である。
なお、搬出する開き扉と、搬入するインナー部材および引出し収納部は、それぞれ居住者が使用する一般用エレベーターで搬送できる大きさであることも工期を短くできる要因である。
【００２４】
（２）騒音が小さい
開き扉の取外しはドライバーで行うことができ、また、インナー部材の取付けもドライバーで行うことができる。従って、作業中の騒音を小さく抑えることができる。
なお、インパクトドライバーの代わりに小型電動ドライバーを使用することによって、迅速な作業と共に騒音の発生をより効果的に抑えることができる。従って、夜間の作業も可能である。
【００２５】
（３）工期中でもシステムキッチンを使用できる
リフォームの対象はキッチンキャビネットのみであるため、調理台やキッチンシンクあるいは食洗機などの厨房機器はそれまで通り使用することができる。従って、工期中でもシステムキッチンの使用が可能である。
（４）産業廃棄物の発生量が少ない
廃棄処分されるのは、取り外された開き扉およびその付属金具類のみである。従って、産業廃棄物の発生を抑えることができる。ちなみに、通常の開き扉式システムキッチンの場合、開き扉の数は１０枚程度であり、その大きさも最大で６０ｃｍ程度である。これは、ダンボール箱に僅か２〜３個分の量である。
【００２６】
（５）見栄えおよび使い勝手に優れる
最も目に付く部分は引出し収納部であるが、この引出し収納部は新品である。従って、見栄え（外観性）に優れる。また、この引出し収納部は重量の嵩む収納物でも容易に出し入れすることができるので、極めて使い勝手に優れる。
なお、ボックス本体の内部に存在し得る傷や汚れなどは引出し収納部によって隠れるので見栄えが損なわれない。また、ボックス本体の天板部分を磨くことによって、さらに見栄え向上させることができる。
【００２７】
また、請求項２に記載の発明によれば、請求項１に記載の発明の作用効果に加えて、インナー部材は、断面略Ｕ字形状、断面略逆Ｕ字形状、又は断面略ロ字形状の枠状であるので、施工が容易である。
【００２８】
さらに、請求項３に記載の発明によれば、請求項１又は２に記載の発明の作用効果に加えて、開口部から挿入して取付けられたインナー部材とボックス本体との間に形成された隙間を覆い隠す隙間塞ぎ工程を備えるので、インナー部材とボックス本体とを一体物として視覚させることができる。
これにより、引出し式キッチンキャビネットの見栄えの向上させることができる。
【００２９】
また、請求項４に記載の発明によれば、請求項３に記載の発明の作用効果に加えて、前記隙間塞ぎ工程が、前記隙間にゴム製又が樹脂製のパッキンを被せて行なわれるので、この隙間を塞ぐ作業が容易である。
従って、リフォームの工期をさらに短縮することができる。
【００３０】
また、請求項５に記載の発明によれば、請求項３に記載の発明の作用効果に加えて、隙間塞ぎ工程が、隙間にコーキング材を充填して行われるので、この隙間を確実に塞ぐことができる。
これにより、引出し式キッチンキャビネットの見栄えをより向上させることができる。
【００３１】
また、請求項６に記載の発明によれば、請求項２乃至５に記載の発明の作用効果に加えて、インナー部材が断面略逆Ｕ字形状である場合に、ボックス本体の底板部の上面に別体の板材を固定する板材補強工程を備えるので、インナー部材の強度を高めることができる。  すなわち、ボックス本体の底板部の正面に固定された板材によって、インナー部材の左側壁および右側壁がそれぞれ内方へ動くのを防止することができる。
これにより、インナー部材の構造的強度が高められ、その形状を安定状態で維持することができる。
【００３２】
またさらに、請求項７に記載の発明によれば、請求項２乃至５に記載の発明の作用効果に加えて、インナー部材が断面略Ｕ字形状又は断面略ロ字形状である場合に、インナー部材の底壁の前面とボックス本体の底板部の前面の両方の全体または略全体を装飾部材で覆う装飾部材被覆工程を備えるので、インナー部材の底壁とボックス本体の底板部との間に形成される僅かな隙間を、この装飾部材で覆い隠すことができる。
これにより、引出し式キッチンキャビネットの見栄えをさらに向上させることができる。
【図面の簡単な説明】
【００３３】
【図１】既存の開き扉式キッチンキャビネットを備えたシステムキッチンを示す正面図である。
【図２】本発明の実施形態に係るリフォーム方法における開き扉取外し工程を示す斜視図である。
【図３】本発明の実施形態に係るリフォーム方法におけるインナー部材取付け工程を示す斜視図である。
【図４】本発明の実施形態に係るリフォーム方法における板材補強工程を示す斜視図である。
【図５】本発明の実施形態に係るリフォーム方法における引出し収納部取付け工程を示す斜視図である。
【図６】本発明の実施形態に係るリフォーム方法によって構成された引出し式キッチンキャビネットを備えるシステムキッチンを示す要部斜視図である。
【図７】本発明の実施形態に係るリフォーム方法における隙間塞ぎ工程を示す正面図であって、（ａ）はパッキンによるものを示し、（ｂ）はコーキングによるものを示す。
【図８】本発明の実施形態に係るリフォーム方法において使用するインナー部材の他の形態を示す正面図である。
【図９】本発明の実施形態に係るリフォーム方法における装飾部被覆工程を示す一部断面図であって、（ａ）は断面略Ｔ字形状の装飾部材を示し、（ｂ）は断面略逆Ｕ字形状の装飾部材を示す。
【発明を実施するための形態】
【００３４】
図１乃至図９を参照して、本発明の実施形態に係るキッチンキャビネットのリフォーム方法について説明する。
図１は、既存の開き扉式キッチンキャビネット１Ａを備えたシステムキッチンＳを示す正面図である。また、図２はこのリフォーム方法における開き扉取外し工程を示す斜視図、図３はインナー部材取付け工程を示す斜視図、図４は板材補強工程を示す斜視図、図５は引出し収納部取付け工程を示す斜視図である。また、図６は、本発明の実施形態に係るリフォーム方法によって構成された引出し式キッチンキャビネット１Ｂを備えるシステムキッチンＳを示す要部斜視図である。
【００３５】
本発明の実施形態に係るキッチンキャビネットのリフォーム方法は、前面に開口部を有するボックス本体２と、そのボックス本体２の左右一方側にヒンジ８で結合され、前記開口部を開閉する開き扉３とを備える既存の開き扉式キッチンキャビネット１Ａを、三体の引出し収納部５を備える引出し式キッチンキャビネット１Ｂにリフォームするものであり、開き扉取外し工程、インナー部材取付け工程、および引出し収納部取付け工程を備える。
【００３６】
図２に示すように、開き扉取外し工程では、開き扉式キッチンキャビネット１Ａの開き扉３を、ボックス本体２から取り外す。すなわち、開き扉３をボックス本体２に結合しているヒンジ８やネジなどの金具類を取り除くことによって、開き扉３を取り外す。
なお、この際、ボックス本体２にはネジ穴や傷が残るが、これらはインナー部材４によって覆い隠されるので、補修の必要はない。ボックス本体２の天板やキッチンシンクなどはそのまま残すが、汚れや傷が目立つ場合には、必要に応じて研磨や補修などを行う。これにより、一層、見栄えが向上する。
【００３７】
取り外した後の開き扉３はヒンジ８などの金具類と共に廃棄するが、その大きさは最大でも６０ｃｍ程度であり、かつ板状であるので、例えば、台車に乗せて一般用エレベーターによって容易に搬出することができる。
【００３８】
図３に示すように、インナー部材取付け工程では、枠状のインナー部材４をボックス本体２の内部に開口部から挿入して取付ける。本実施形態におけるインナー部材４は、左側壁４ｂと右側壁４ｃと頂壁４ｄとを備える断面略逆Ｕ字形状である。また、左側壁４ｂおよび右側壁４ｃの内面側のそれぞれに、引出し収納部５をスライド自在に支持するガイド部材４ａを備える。このガイド部材４ａは、スライドレールを有する。スライドレールとしては、図３に示したように、回転自在なコロ（ローラー）Ｗを有するものや、ベアリングを使用するものなど様々のものがある。なお、本実施形態におけるガイド部材４ａは上下に三対設けている。
【００３９】
なお、インナー部材４は、ボックス本体２の内部よりも数ミリ程度小さく設定しておくことによって、ボックス本体２の内部に容易に挿入することができる。また、このインナー部材４は、搬入に先立ってあらかじめ断面略逆Ｕ字状に組み立てておくこともできるし、組み立て前の板状部材を搬入して組み立てることもできる。
このインナー部材４あるいは板状部材の大きさも開き扉３と同様に６０ｃｍ程度であるため一般用エレベーターによって容易に搬入することができる。
【００４０】
図５に示すように、引出し収納部取付け工程では、引出し収納部５をインナー部材４の内部に、左側壁４ｂと右側壁４ｃに設けられたコロＷを備えるガイド部材４ａに沿って嵌め込む。本実施形態では、引出し収納部５の左右側面のそれぞれに、ガイド部材４ａを受ける横溝形状の受け部５ｃを設けており、この受け部５ｃの内面でコロＷを受けることによって、引出し収納部５をスライド自在としている。
なお、本実施形態における引出し収納部５は、その左右側面に設けた受け部５ｃによってスライド自在とされているが、こうした形態に限定されるものではなく、例えば、引出し収納部５の底面をインナー部材４のガイド部材４ａによって下から支持させてスライド自在とすることもできる。
【００４１】
また、本実施形態における引出し収納部５は三体設けられている。各引出し収納部５は、把手部５ｂを有する前面板５ａを備え、上面が開口した箱形であり、三体の引出し部材の前面板５ａ（三枚）によってボックス本体２の前面全体を覆うように設定されている。これにより、ボックス本体２とインナー部材４との間に僅かに形成される隙間Ｇを覆い隠すことができる。
【００４２】
なお、本実施形態に係るキッチンキャビネットのリフォーム方法においては、図４に示すように、板材補強工程を加えることができる。この工程は、インナー部材取付け工程の後に、ボックス本体２の底板部２ａの上面に別体の板材６を固定するものである。この板材６の左右外側面は、インナー部材４の左側壁４ｂおよび右側壁４ｃの内面に当接し、その後端面はボックス本体２の奥板部２ｂの内面に当接する。また、この板材６は、ボックス本体２またはインナー部材４（ボックス本体２とインナー部材４の両方であってもよい）に固定金具によって固定される。この板材６を設けたことにより、インナー部材４の左側壁４ｂおよび右側壁４ｃがそれぞれ内方へ動くことを防止することができるので、インナー部材４の構造的な強度を高めることができる。
【００４３】
また、本実施形態に係るキッチンキャビネットのリフォーム方法においては、図７に示すように、隙間塞ぎ工程を加えることができる。この工程は、開口部から挿入して取付けられたインナー部材４とボックス本体２との間に形成された隙間Ｇを覆い隠すものである。この工程によって、インナー部材４とボックス本体２とを一体物として視覚させることができ、見栄えの向上をさらに図ることができる。
【００４４】
この隙間塞ぎ工程では、隙間Ｇにゴム製または樹脂製のパッキンＰを被せて行うこともできるし、コーキング材Ｃを充填して行うこともできる。
前者の場合は作業が容易であるといった利点があり、また、後者の場合では隙間Ｇを確実に塞ぐことができるといった利点がある。
【００４５】
上記実施形態におけるインナー部材４は、断面略逆Ｕ字形状に形成されているが、これに限定されるものではなく、図８（ａ）に示すような底壁４ｅを備える断面略Ｕ字形状や、図８（ｂ）に示すような断面略ロ字形状といった枠状にすることもできる。さらには、枠状ではなく、インナー部材４の左側壁４ｂと右側壁４ｃが連結されることなく独立した板状のものであってもよい。
これらの場合、図９に示すように、装飾部材被覆工程を加えることができる。この工程は、インナー部材４の底壁４ｅの前面とボックス本体２の底板部２ａの前面の両方のほぼ全体を装飾部材７で覆うものである。
すなわち、こうした形状のインナー部材４をボックス本体２の内部に挿入した状態では、インナー部材４の底壁４ｅとボックス本体２の底板部２ａとの間には、必然的に数ミリ程度の僅かな隙間Ｇが形成されてしまう。装飾部材被覆工程によって、インナー部材４の底壁４ｅの前面とボックス本体２の底板部２ａの前面を装飾部材７で覆うことによって、その隙間Ｇを覆い隠すことができる。
【００４６】
なお、装飾部材７の形状は限定されるものではないが、例えば、断面略Ｔ字形状のものや（図９（ａ））、断面略逆Ｕ字形状のもの（図９（ｂ））を使用することができる。また、装飾部材７の取付けは、その一部を隙間Ｇに挿入して行うこともできるし、固定部材で固定して行うこともできる。
【００４７】
本実施形態に係るキッチンキャビネットのリフォーム方法は、以下の作用効果を発揮する。
（１）工期が短くコストが廉価
開き扉式キッチンキャビネット１Ａのボックス本体２から開き扉３のみを取外し（開き扉取外し工程）、ガイド部材４ａを有するインナー部材４をボックス本体２に挿入して取付け（インナー部材取付け工程）、引出し収納部５をインナー部材４に嵌め込む（引出し収納部取付け工程）のみでリフォームすることができるので、工期が短くコストも廉価である。
【００４８】
（２）騒音が小さい
開き扉３の取外しはドライバーで行うことができ、また、インナー部材４の取付けもドライバーで行うことができる。従って、作業中の騒音を小さく抑えることができる。
（３）工期中でもシステムキッチンを使用できる
リフォームの対象はキッチンキャビネットのみであるため、調理台やキッチンシンクあるいは食洗機などの厨房機器はそれまで通り使用することができる。従って、工期中でもシステムキッチンＳの使用が可能である。
【００４９】
（４）産業廃棄物の発生量が少ない
廃棄処分されるのは、取り外された開き扉３およびその付属金具類のみである。従って、産業廃棄物の発生を抑えることができる。
（５）見栄えおよび使い勝手に優れる
最も目に付く部分は引出し収納部５であるが、この引出し収納部５は新品である。従って、見栄え（外観性）に優れる。また、この引出し収納部５は重量の嵩む収納物でも容易に出し入れすることができるので、極めて使い勝手に優れる。
【００５０】
（６）インナー部材の強度を高める
インナー部材４が断面略逆Ｕ字形状である場合に、ボックス本体２の底板部２ａの上面に別体の板材６を固定する板材補強工程を備えるので、インナー部材４の構造的強度を高めることができる。
なお、インナー部材４が断面略Ｕ字形状又は断面略ロ字形状である場合には、装飾部材被覆工程を加えるので、インナー部材４の底壁４ｅとボックス本体２の底板部２ａとの間に形成される僅かな隙間Ｇを、装飾部材７で覆い隠すことができ、見栄えをさらに向上させることができる。
【符号の説明】
【００５１】
１Ａ  開き扉式キッチンキャビネット
１Ｂ  引出し式キッチンキャビネット
２    ボックス本体
２ａ  底板部
２ｂ  奥板部
３    開き扉
４    インナー部材
４ａ  ガイド部材
４ｂ  左側壁
４ｃ  右側壁
４ｄ  頂壁
４ｅ  底壁
５    引出し収納部
５ａ  前面板
５ｂ  把手部
５ｃ  受け部
６    板材
７    装飾部材
８    ヒンジ
Ｃ    コーキング材
Ｇ    隙間
Ｐ    パッキン
Ｓ    システムキッチン
Ｗ    コロ（ローラー）
【図１】
2014151034.tif 000003
【図２】
2014151034.tif 000004
【図３】
2014151034.tif 000005
【図４】
2014151034.tif 000006
【図５】
2014151034.tif 000007
【図６】
2014151034.tif 000008
【図７】
2014151034.tif 000009
【図８】
2014151034.tif 000010
【図９】
2014151034.tif 000011